(57)【要約】      （修正有）【課題】アニオン界面活性剤（特にアミノ酸系界面活性剤）の使用感を変えることなく実用的な粘度を付与し、低温でも安定な処方系を構築できるハンドリング性に優れた増粘剤を提供する。【解決手段】（Ａ１）一般式（１）2014074114.tif 000028［但し式中Ｒ１は直鎖若しくは分枝鎖の炭素数８〜２２のアルキル基若しくはアルケニル基を示し、Ａ１Ｏ、Ａ２Ｏが同時にオキシエチレン基、オキシプロピレン基の混合でも良い。ｍ，ｎは互いに独立に０以上の整数であり、混合物全体の平均値が１≦（ｍ＋ｎ）≦２の関係がある。］で表される脂肪族第１級アミンのアルキレンオキサイド付加物混合物及び（Ａ２）Ａ１を除く窒素含有ノニオン性界面活性剤をＡ１：Ａ２＝３０：７０〜８０：２０の範囲で含有する増粘剤組成物。【選択図】なし【特許請求の範囲】
【請求項１】
（Ａ１）一般式（１）
【化１】
2014074114.tif 000025
［但し式中Ｒ１は直鎖若しくは分枝鎖の炭素数８〜２２のアルキル基若しくはアルケニル基を示し、Ａ１Ｏ、Ａ２Ｏが同時にオキシエチレン基、オキシプロピレン基の混合でも良い。ｍ，ｎは互いに独立に０以上の数であり、混合物全体の平均値が１≦（ｍ＋ｎ）≦２の関係がある。］
で表される脂肪族第１級アミンのアルキレンオキサイド付加物混合物及び
（Ａ２）Ａ１を除く窒素含有ノニオン性界面活性剤を
Ａ１：Ａ２＝３０：７０〜８０：２０の範囲で含有する増粘剤組成物。
【請求項２】
Ａ２成分が一般式（２）
【化２】
2014074114.tif 000026
〔但し式中Ｒ２ＣＯは炭素数１〜１４のアシル基を示し、Ｒ３は炭素数１〜３のアルキレン基、Ｒ４は水素原子、又は、ヒドロキシル基、又はシアノ基、又はチオール基を含有してもよい炭素数１〜１４の直鎖乃至は分枝鎖のアルキル基であってＲ２ＣＯ基における炭素数とＲ４基の炭素数の和が、１１〜１９の間であり、Ｒ５、Ｒ６はそれぞれ独立に炭素数１〜３のアルキル基を表す。〕
で示されるアミドアミン化合物であることを特徴とする請求項１記載の増粘剤組成物。
【請求項３】
Ａ２成分が一般式（３）乃至は一般式（４）
【化３】
2014074114.tif 000027
［但し式中Ｒ７ＣＯは炭素数８〜２０のアシル基直鎖若しくは分枝鎖の炭素数８〜２２のアルキル基若しくはアルケニル基を示し、Ａ３Ｏ、Ａ４Ｏが同時にオキシエチレン基、オキシプロピレン基の混合でも良い。ｏ，ｐは互いに独立な整数であり０≦ｏ≦１０の整数であり、１≦ｐ≦１０の整数である。
中Ｒ８ＣＯは炭素数８〜２０のアシル基直鎖若しくは分枝鎖の炭素数８〜２２のアルキル基若しくはアルケニル基を示し、Ｒ９はメチル基乃至はエチル基を示し、Ａ５Ｏは同時にオキシエチレン基、オキシプロピレン基の混合でも良い、１≦ｑ≦１０の整数である。］
で示される脂肪酸アルカノールアミド化合物、ポリオキシアルキレン脂肪酸アルカノールアミド化合物であることを特徴とする請求項１記載の増粘剤組成物。
【請求項４】
（Ａ）請求項１〜３記載の増粘剤組成物
（Ｂ）アニオン界面活性剤
を含有する高粘度液体洗浄剤組成物。
【請求項５】
（Ａ）請求項１〜３記載の増粘剤組成物
（Ｂ）難増粘性アニオン界面活性剤
を含有する高粘度液体洗浄剤組成物。
【請求項６】
請求項４乃至は５の液体洗浄剤組成物においてＡ／Ｂの重量比が９０／１０〜５０／５０である混合物を活性成分とする高粘度液体洗浄剤組成物。
【請求項７】
難増粘性アニオン界面活性剤がＮ−アシルアミノ酸系界面活性剤である請求項５乃至は６記載の高粘度液体洗浄剤組成物。
【請求項８】
更に（Ｃ）両性界面活性剤、双性界面活性剤、半極性界面活性剤およびカチオン性界面活性剤から選ばれる少なくとも１種の界面活性剤を含有する請求項４〜７記載の高粘度液体洗浄剤組成物。
【発明の詳細な説明】
【技術分野】
【０００１】
本発明は、アニオン界面活性剤を主剤として含有する液体洗浄剤組成物を増粘・増泡させ、配合時のハンドリング性に優れる増粘剤組成物及びそれらを含有する液体洗浄剤組成物に関するものである。
【０００２】
特に高粘度化が困難とされているＮ−アシルアミノ酸系界面活性剤などの難増粘性アニオン界面活性剤を主剤として含有する洗浄剤に添加することにより、難増粘性アニオン界面活性剤（特にＮ−アシルアミノ酸系界面活性剤）を実用的な粘度付与を実現すると同時に、難増粘性アニオン界面活性剤の起泡性を改善し、すすぎ時のさっぱり感に優れる高粘度液体洗浄剤組成物を提供することができる。
【背景技術】
【０００３】
通常使用される増粘剤と併用しても必要とする増粘効果が得られないアニオン界面活性剤（難増粘性アニオン界面活性剤と呼称、特にＮ−アシルアミノ酸系界面活性剤）を主基材とする液体洗浄剤組成物は、一般に低刺激性であるものの、その使用において必要とされる適度な粘度の付与が困難であり、一般的には、単独では満足できる起泡力を有しておらず、すすぎ時にヌルつく性質があることが知られている。
【０００４】
目的とする粘度を得るために難増粘性アニオン界面活性剤と増粘が比較的容易なサルフェート型アニオン界面活性剤とを併用する方法も試みられたが、この場合には、刺激性が増大し、満足し得るものではなかった。
【０００５】
難増粘性アニオン界面活性剤の一例であるＮ−アシルアミノ酸系界面活性剤においては、増粘に良く用いられるヒドロキシエチルセルロース、カチオン化グァー等の高分子増粘剤を組み合わせて増粘させる場合でも、通常液体洗浄剤組成物の粘度として有用な３００〜２０００ｍＰａ・s に達するまで高分子増粘剤を加えると、ヌルつき感が大きくなり使用感が満足できない。更にシャンプー等に用いると高分子増粘剤の一部が髪に吸着されるためか、洗髪後の髪の光沢が無くなるなどの不都合を生じる。
【０００６】
そのためこれまでに難増粘性アニオン界面活性剤（特にＮ−アシルアミノ酸系界面活性剤）に粘度を付与することを目標とした様々な技術が公開されている。
【０００７】
難増粘性アニオン界面活性剤の例としてＮ−アシルアミノ酸系界面活性剤の粘度付与に関する従来技術について述べる。
【０００８】
Ｎ−アシルアミノ酸系界面活性剤に脂肪酸ジエタノールアミド及び水溶性無機塩を配合した弱酸性の液体洗浄剤処方が開示されている（特許文献１）。同技術によると、Ｎ−アシルアミノ酸系界面活性剤の使用感を悪化させること無く、洗浄剤組成物の粘度を上昇させる事が可能であるが、特に十分な粘度付与を行うため無機塩濃度が上限に近い部分の洗浄剤組成物の低温安定性は十分なものではなかった。
【０００９】
水溶性無機塩の配合量を少なく粘度付与を行う目的で、無機塩と分子内にカチオン中心を持つ、両性界面活性剤、双性界面活性剤、半極性界面活性剤およびカチオン性界面活性剤とを併用する液体洗浄剤処方が開示されている（特許文献２）。低温安定性の改善等が見られるが、やはり無機塩は必須成分なのでコンディショニング剤の併用が困難になる等の点があるため満足いくものではなかった。
【００１０】
一方、ポリオキシアルキレンアルキルアミンはノニオン界面活性剤であり、液体漂白組成物に増粘性界面活性剤の一種として紹介されているが（特許文献３）、ポリオキシアルキレンアルキルアミンのアニオン界面活性剤に対する増粘効果に関して詳細な記載はない。
【００１１】
アミドアミン化合物は、特定構造のアミドアミン化合物が増粘剤として用いられることが開示されているが(特許文献４)、その効果は不十分であり、特定のポリオキシアルキレンアルキルアミン混合物との組み合わせに関する記載はない。
【００１２】
脂肪酸アルカノールアミド類は古くから使用されている増粘剤である。アシルアミノ酸系界面活性剤と脂肪酸アルカノールアミドの一種である脂肪酸ジエタノールアミドとを配合した系に関しては、先に述べている（特許文献１）。脂肪酸モノエタノールアミド、ポリオキシアルキレン脂肪酸モノアルカノールアミドの増粘効果は、サルフェート型アニオン界面活性剤と組み合わせた場合優れた効果を示すが、増粘効果の強い配合物は低温安定性との両立が困難であり、特に脂肪酸モノエタノールアミドは優れた増粘性を示すが高融点であるため配合時のハンドリング性が悪いという欠点がある。これらの欠点を改善するためＮ−アルキル脂肪酸モノエタノールアミドの技術が公開されている（特許文献５）が、難増粘性アニオン界面活性剤に添加した場合の増粘効果は不十分であり、現在に至るまでアニオン界面活性剤、特に難増粘性アニオン界面活性剤を通常液体洗浄剤組成物の粘度として有用な３００〜２０００ｍＰａ・s程度に増粘し、起泡性を改善し、すすぎ時のさっぱり感に優れる高粘度液体洗浄剤組成物を提供する方法が求められている。
【先行技術文献】
【特許文献】
【００１３】
【特許文献１】特公平２−５４４００号公報
【特許文献２】特開２００３−１４７３９９号公報
【特許文献３】特開昭６１−１６２５９８号公報
【特許文献４】特開２０１１−０２１１１０号公報
【特許文献５】特開２００３−０４１２９１号公報
【発明の概要】
【発明が解決しようとする課題】
【００１４】
従来の増粘剤は、アニオン界面活性剤（特に難増粘性アニオン界面活性剤）に添加した場合の増粘効果は不十分であり、現在に至るまでアニオン界面活性剤、特に難増粘性アニオン界面活性剤を通常液体洗浄剤組成物の粘度として有用な３００〜２０００ｍＰａ・s程度に増粘し、起泡性を改善し、コンディショニング剤相溶性を確保し、すすぎ時のさっぱり感に優れる高粘度液体洗浄剤組成物を提供する方法は開発されていない。
【課題を解決するための手段】
【００１５】
本発明者らは、アニオン界面活性剤（特に難増粘性アニオン界面活性剤）の粘度付与の問題を解決する方法を検討した結果、アニオン界面活性剤（特に難増粘性アニオン界面活性剤）に特定のポリオキシアルキレンアルキルアミン混合物とそれ以外の窒素含有ノニオン界面活性剤を併用することより上記課題が解決できることを見出し、本発明を完成するに到った。
【００１６】
即ち本発明は、
（Ａ１）一般式（１）
【００１７】
【化１】
2014074114.tif 000002
【００１８】
［但し式中Ｒ１は直鎖若しくは分枝鎖の炭素数８〜２２のアルキル基又はアルケニル基を示し、Ａ１Ｏ、Ａ２Ｏが同時にオキシエチレン基、オキシプロピレン基の混合でも良い。ｍ，ｎは互いに独立に０以上の数であり、混合物全体の平均値が１≦（ｍ＋ｎ）≦２の関係がある。］
で表される脂肪族第１級アミンのアルキレンオキサイド付加物混合物および
（Ａ２）Ａ１成分を除く窒素含有ノニオン性界面活性剤を
Ａ１：Ａ２＝３０：７０〜８０：２０の範囲で含有する増粘剤組成物に関するものである。
【００１９】
Ａ２成分としては、アミドアミン化合物、脂肪酸アルカノールアミド化合物、ポリオキシアルキレン脂肪酸アルカノールアミド化合物から選択される窒素含有ノニオン性界面活性剤である。
【００２０】
また、本発明増粘剤組成物とアニオン界面活性剤とを含有する高粘度液体洗浄剤組成物に関するものであり、本発明増粘剤組成物／アニオン界面活性剤の重量比が９０／１０〜５０／５０である混合物を活性成分とする高粘度液体洗浄剤組成物に関する。
【発明の効果】
【００２１】
本発明により、アニオン界面活性剤（特に難増粘性アニオン界面活性剤）に添加した場合、通常液体洗浄剤組成物の粘度として有用な３００〜２０００ｍＰａ・s程度に増粘し、起泡性を改善し、コンディショニング剤相溶性を確保し、すすぎ時のさっぱり感に優れる高粘度液体洗浄剤組成物を提供することができる
【発明を実施するための形態】
【００２２】
以下、本発明の実施形態について説明する。
【００２３】
本発明において増粘剤組成物の第一成分である一般式（１）で示されるポリオキシアルキレンアルキルアミン化合物混合物（Ａ１）において、疎水基であるＲ１の炭素数は増粘に影響を与える重要な因子である。単一鎖長の場合Ｒ１が２２より大きい場合、増粘剤組成物のハンドリング性が悪くなるほか、増粘剤組成物を含有する液体洗浄剤組成物の低温での安定性が阻害する恐れがあり好ましくない。また、Ｒ１の炭素数が８より小さい場合は親水性が高すぎるために、これを用いた増粘剤組成物は、難増粘性アニオン界面活性剤（特にＮ−アシルアミノ酸系界面活性剤）に対する増粘効果を発現しない為好ましくない。より好ましくはＲ１の炭素数が、８から１４の間である。
【００２４】
本発明の脂肪族第１級アミンのアルキレンオキサイド付加物混合物（Ａ１）におけるアルキレンオキサイド付加モル数に呼応するｍ，ｎは互いに独立に０以上の数であって、混合物全体の平均値で１≦（ｍ＋ｎ）≦２の関係であることが重要である。
【００２５】
ｍ＋ｎが１未満である場合、原料であるアルキルアミン由来の経時着色が生じ、激しいアミン臭も発生する。ｍ＋ｎが２より大きい場合、アルキレンオキサイド付加物自身に着色が見られ、増粘剤組成物配合組成物の色相悪化にも繋がり、増粘剤組成物を配合した液体洗浄剤組成物の色相悪化にもつながるため好ましくない。
【００２６】
本発明の脂肪族第１級アミンのア
ルキレンオキサイド付加物混合物（Ａ１）は、
（i） 対応するアルキルアミン１モルに
（ii） エチレンオキサイド及び／又は
（iii） プロピレンオキサイドを
（iv） （ii）及び（iii）を合計で１モル以上、２モル以下で付加反応させる
ことにより得ることができる。
【００２７】
脂肪族第１級アミンのアルキレンオキサイド付加物混合物の好適な例としては、例えばＰＥＧ−２ドデシルアミン、ＰＥＧ−１／ＰＰＧ−１ドデシルアミン、ＰＰＧ−２ドデシルアミン、ＰＥＧ−２ココナッツアミン、ＰＥＧ−１／ＰＰＧ−１ココナッツアミン、ＰＰＧ−２ココナッツアミン、ＰＥＧ−２テトラデシルアミン、ＰＥＧ−１／ＰＰＧ−１テトラデシルアミン、ＰＰＧ−２テトラデシルアミン、ＰＥＧ−２ペンタデシルアミン、ＰＥＧ−１／ＰＰＧ−１ペンタデシルアミン、ＰＰＧ−２ペンタデシルアミンが挙げられる。これらの好適な例が脂肪族第１級アミンのアルキレンオキサイド付加物混合物全体（Ａ１）の平均として、一般式（１）に示されるｎとｍが１≦（ｍ＋ｎ）≦２となるように混合されている。
【００２８】
特に好ましくは、ＰＥＧ−２オクチルアミンやＰＥＧ−２ドデシルアミン、ＰＥＧ−２ココナッツアミン、ＰＥＧ−２テトラデシルアミンである。
【００２９】
本発明において増粘剤組成物の第二成分である一般式（１）の脂肪族第１級アミンのアルキレンオキサイド付加物混合物を除く窒素含有ノニオン界面活性剤に関して詳細に述べる。
【００３０】
本発明増粘剤組成物の第二成分に該当する窒素含有ノニオン界面活性剤としては、下記一般式（２）で示されるアミドアミン化合物、下記一般式（３）及び一般式（４）で示される脂肪酸アルカノールアミド類が挙げられる。
【００３１】
【化２】
2014074114.tif 000003
【００３２】
〔但し式中Ｒ２ＣＯは炭素数１〜１４のアシル基を示し、Ｒ３は炭素数１〜３のアルキレン基、Ｒ４は水素原子、又は、ヒドロキシル基、又はシアノ基、又はチオール基を含有してもよい炭素数１〜１４の直鎖乃至は分枝鎖のアルキル基であってＲ２ＣＯ基における炭素数とＲ４基の炭素数の和が、１１〜１９の間であり、Ｒ５、Ｒ６はそれぞれ独立に炭素数１〜３のアルキル基を表す。〕
【００３３】
【化３】
2014074114.tif 000004
【００３４】
［但し式中Ｒ７ＣＯは炭素数８〜２０のアシル基直鎖若しくは分枝鎖の炭素数８〜２２のアルキル基若しくはアルケニル基を示し、Ａ３Ｏ、Ａ４Ｏが同時にオキシエチレン基、オキシプロピレン基の混合でも良い。ｏ，ｐは互いに独立な整数であり０≦ｏ≦１０の整数であり、１≦ｐ≦１０の整数である。
【００３５】
中Ｒ８ＣＯは炭素数８〜２０のアシル基直鎖若しくは分枝鎖の炭素数８〜２２のアルキル基若しくはアルケニル基を示し、Ｒ９はメチル基乃至はエチル基を示し、Ａ５Ｏは同時にオキシエチレン基、オキシプロピレン基の混合でも良い、１≦ｑ≦１０の整数である。］
【００３６】
一般式（２）で示されるアミドアミン化合物は、Ｒ２ＣＯのアシル基における炭素数が１５を超えた場合、低温での安定性が阻害する恐れがあり好ましくない。Ｒ４基は末端にヒドロキシル基、又はシアノ基、又はチオール基を含有してよい炭素数１〜１４の直鎖乃至は分枝鎖のアルキル基であるが、Ｒ４基の炭素数が１４を超えた場合、低温での安定性が阻害する恐れがありの点で好ましくない。また、Ｒ１ＣＯのアシル基における炭素数と末端にヒドロキシル基、又はシアノ基、又はチオール基を含有してよいＲ４基の炭素数の和が、１０より小さい場合は親水性が高すぎるために、２０より多い場合は油脂性が高すぎるために、本発明増粘剤組成物は、難増粘性アニオン界面活性剤（特にアミノ酸系界面活性剤）に対する増粘効果を発現しない為好ましくない。より好ましくはＲ２ＣＯのアシル基における炭素数と末端にヒドロキシル基、又はシアノ基、又はチオール基を含有してよいＲ４基の炭素数の和が、１１から１９の間である。また、Ｒ３は炭素数２乃至は３で、Ｒ５とＲ６はメチル基がより好ましい。
【００３７】
本発明の一般式（２）で表されるアミドアミン化合物は、Ｎ，Ｎ−ジアルキルアルキレンジアミンやＮ，Ｎ，Ｎ’−トリアルキルアルキレンジアミンに特定の鎖長の脂肪酸又はその脂肪酸アルキルエステル、あるいは脂肪酸クロライド、脂肪酸無水物とを反応させることにより容易に得ることができる。
【００３８】
好ましいＮ，Ｎ−ジアルキルアルキレンジアミンとしては、Ｎ，Ｎ−ジメチルエチレンジアミン、Ｎ，Ｎ−ジメチルプロピレンジアミン等が挙げられる。
【００３９】
好ましいＮ，Ｎ，Ｎ’−トリアルキルアルキレンジアミンとしては、Ｎ，Ｎ，Ｎ’−トリメチルエチレンジアミン、Ｎ，Ｎ，Ｎ’−トリメチルプロピレンジアミン、Ｎ−エチル−Ｎ’，Ｎ’−ジメチルエチレンジアミン、Ｎ−エチル−Ｎ’，Ｎ’−ジメチルプロピレンジアミン等が挙げられる。
【００４０】
特定の鎖長の脂肪酸としてはデカン酸、ラウリン酸、ミリスチン酸、ヤシ脂肪酸が挙げられる。
【００４１】
一般式（３）及び（４）で示されるアルカノールアミド類に関して述べる。
【００４２】
一般式（３）で示される窒素含有ノニオン界面活性剤としては、脂肪酸ジアルカノールアミド、脂肪酸モノアルカノールアミド、ポリオキシアルキレン脂肪酸ジアルカノールアミド、ポリオキシアルキレン脂肪酸モノアルカノールアミド等が挙げられる。
【００４３】
一般式（４）で示される窒素含有ノニオン界面活性剤としては、Ｎ−アルキル脂肪酸モノアルカノールアミド、ポリオキシアルキレン−Ｎ−アルキル脂肪酸モノアルカノールアミドが挙げられる。
【００４４】
一般式（３）及び（４）で示されるアルカノールアミド類は、従来より増粘剤として用いられてきた界面活性剤であるが、アニオン界面活性剤に対して特に強い増粘作用のある物質は融点が高く、ハンドリング性が悪いばかりか、そのものを単独でアニオン界面活性剤と配合しても洗浄剤組成物の低温安定性が悪くなり、その改善のために、例えば多価アルコールを多量に併用したり、アルカノールアミド類の中でも増粘効果は弱いが低温安定性に優れる疎水基長の短いアルカノールアミドやポリオキシアルキレン鎖長の長いアルカノールアミド類を使用又は併用してきた。
【００４５】
本発明増粘剤組成物は、（Ａ１）成分及び（Ａ２）成分を含有するものであるが、（Ａ１）成分は、（Ａ２）成分に混合することにより、混合物凝固点を降下させる作用があり、（Ａ１）成分及び（Ａ２）成分を混合した本発明増粘剤組成物は、配合時のハンドリング性が著しく改善され、液体洗浄剤組成物の配合時に工業的に極めて有利である。
【００４６】
この効果は、比較的高凝固点の（Ａ２）成分を液体洗浄剤に配合する際、液体洗浄剤の低温安定性を改善する効果につながっていることをいることを本発明者らは確認した。
【００４７】
即ち、本発明技術を用いることにより、これまで液体洗浄剤組成物の低温安定性により配合が困難とされていた従来の窒素含有ノニオン界面活性剤を安定に液体洗浄剤組成物に配合することを可能とする技術でもある。
【００４８】
本発明増粘剤組成物において（Ａ１）成分と（Ａ２）成分の配合比率（重量％）は、（Ａ２）／（Ａ１）＝３０／７０〜８０／２０であり、より好ましくは、４０／６０〜７０／３０である。
【００４９】
なお、（Ａ２）成分の含量が少ないと、十分な増粘性が得られない場合があり好ましくなく、逆に多いと、（Ａ１）成分と（Ａ２）成分を混合した増粘剤組成物のハンドリング性の改善が十分ではなく、更に増粘剤組成物を配合した液体洗浄剤組成物の低温保存時に白濁沈殿を起こして経時安定性に問題を生じる恐れがある。
【００５０】
本発明の高粘度液体洗浄剤組成物に関して述べる。
【００５１】
本発明高粘度液体洗浄剤組成物はアニオン性界面活性剤と本発明増粘剤組成物の組み合わせからなるが、本発明増粘剤組成物を構成する（Ａ１）特定の脂肪族第１級アミンのアルキレンオキサイド付加物混合物及び（Ａ２）脂肪族第１級アミンのアルキレンオキサイド付加物混合物を除く窒素含有ノニオン界面活性剤の２成分は、あらかじめ混合して増粘剤組成物として液体洗浄剤組成物に配合しても良いし、場合によっては、本発明の比率に合うように（Ａ１）成分と（Ａ２）成分を別々に液体洗浄剤組成物に配合しても良い。
【００５２】
アニオン性界面活性剤（Ｂ）と、（Ａ１）、（Ａ２）成分の混合物の配合比率（重量％）は、（Ｂ）／（Ａ１＋Ａ２）＝９０／１０〜５０／５０であり、より好ましくは８０／２０〜６０／４０で、９０／１０以下の配合量である場合、その添加効果は現れず、５０／５０を超えて配合されると、洗浄剤組成物の使用感が損なわれたり、泡のきめが大きくなるなどの問題が発生し、使用感が損なわれ好ましくない。
【００５３】
本発明高粘度液体洗浄剤組成物における（Ａ１）成分と（Ａ２）成分の配合比率は、先に述べたとおりである。
【００５４】
本発明において、Ｂ、（Ａ１）及び（Ａ２）成分の合計は、液体洗浄剤組成物全体に対して７〜５０重量％、好ましくは１０〜４０重量％が増粘性、低温安定性及び経済性の面で特に望ましい。
【００５５】
本発明の（Ａ１）ポリオキシアルキレンアルキルアミン化合物混合物及び（Ａ２）ポリオキシアルキレンアルキルアミン化合物混合物を除く窒素含有ノニオン界面活性剤との混合物である本発明増粘剤組成物は、他の同様な使用法で使われる増粘剤、たとえば、脂肪酸アルカノールアミド類、ポリオキシアルキレンアルキルエーテル、ポリオキシアルキレン脂肪酸エステル、高分子増粘剤等の既知の増粘剤に比較して、低添加量で粘度構築でき増粘剤としての性能に優れる。
【００５６】
また、本発明増粘剤組成物の（Ａ１）成分は、速泡性、増泡性に優れていることが、本発明者らの検討により明らかになっているが、本発明増粘剤組成物を含有する高粘度液体洗浄剤組成物にもそれらの効果が付与され、液体洗浄剤組成物の起泡性を改善し、すすぎ時にさっぱり感を与え、特に難増粘性アニオン界面活性剤の使用感をより優れたものに改善する。
【００５７】
本発明増粘剤組成物は、サルフェート型アニオン界面活性剤との混合により容易に粘度構築するのみならず、従来より粘度構築が困難とされる難増粘性アニオン界面活性剤（特にアミノ酸系界面活性剤）の粘度構築において、実用的な粘度構築が可能で、従来の増粘剤に比較してより優れたれた増粘機能を有している。
【００５８】
難増粘性アニオン活性剤としては、以下のアニオン性界面活性剤が挙げられる。
（Ｂ１）脂肪酸塩
（Ｂ２）Ｎ−アシル中性アミノ酸塩
（Ｂ３）Ｎ−アシル酸性アミノ酸塩
（Ｂ４）アルキルエーテルカルボン酸塩
（Ｂ５）アミドエーテルカルボン酸塩
（Ｂ６）ポリオキシエチレンアルキルスルホコハク酸塩
（Ｂ７）ポリオキシエチレンアミドエーテルスルホコハク酸塩
【００５９】
（Ｂ１）脂肪酸塩
脂肪酸塩類は、一般式（５）
【００６０】
【化４】
2014074114.tif 000005
【００６１】
〔式中、Ｒ１０は炭素数７〜２１のアルキル基又はアルケニル基を表し、Ｍ1 はアルカリ金属、アルカノールアミンを表す。〕
で示される化合物であって、より好適には、ラウリン酸塩、ミリスチン酸塩、パルミチン酸塩、ステアリン酸塩、オレイン酸塩、ヤシ油脂肪酸塩、パーム核油脂脂肪酸塩、パーム油脂肪酸塩、等が挙げられそれらの混合物も用いられ、その塩としてはナトリウム塩、カリウム塩、トリエタノールアミン塩等が挙げられる。
【００６２】
（Ｂ２）Ｎ−アシル中性アミノ酸塩
Ｎ−アシル中性アミノ酸塩は、一般式（６）
【００６３】
【化５】
2014074114.tif 000006
【００６４】
〔式中、Ｒ１１は炭素数７〜２１のアルキル基又はアルケニル基を表し、Ｒ１２は水素原子、メチル基を示し、Ｚ-は−ＣＯＯ−基又は−ＳＯ3−基を示す。Ｍ2はＺ−基のカウンターイオンでアルカリ金属、アルカノールアミンを表し、ａは１又は２の整数を示す。〕
で示されるアニオン界面活性剤であって、好適には、Ｎ−ラウロイルサルコシン塩、Ｎ−ヤシ油脂肪酸サルコシン塩、Ｎ−ラウロイル−Ｎ−メチル−β−アラニン塩、Ｎ−ヤシ油脂肪酸−Ｎ−メチル−β−アラニン塩、等が挙げられ、その塩としてはナトリウム塩、カリウム塩、トリエタノールアミン塩等が挙げられる。
【００６５】
（Ｂ３）Ｎ−アシル酸性アミノ酸塩
Ｎ−アシル酸性アミノ酸塩は、一般式（７）
【００６６】
【化６】
2014074114.tif 000007
【００６７】
〔式中、Ｒ１３は炭素数７〜２１のアルキル基又はアルケニル基を表し、Ｍ３、Ｍ４は同一又は異なって、水素原子、アルカリ金属、アルカノールアミンを表す。但し、Ｍ３  、Ｍ４  が共に水素原子であることはない。ｂは１又は２の整数で示す。〕
で示される多価アニオン界面活性剤であって、好適には、Ｎ−ラウロイル−Ｌ−グルタミン酸塩、Ｎ−ヤシ油脂肪酸−Ｌ−グルタミン酸塩、Ｎ−ラウロイルアスパラギン酸塩、Ｎ−ヤシ油脂肪酸アスパラギン酸塩、等が挙げられ、その塩としてはナトリウム塩、カリウム塩、トリエタノールアミン塩等が挙げられる。
【００６８】
（Ｂ４）アルキルエーテルカルボン酸塩
アルキルエーテルカルボン酸塩は、一般式（８）
【００６９】
【化７】
2014074114.tif 000008
【００７０】
〔式中、Ｒ１４は炭素数８〜２２の直鎖又は分岐鎖のアルキル基又はアルケニル基を表し、Ｍ５はアルカリ金属、アルカノールアミンを表す。ｃは１〜１０を示す。〕
で示されるアニオン界面活性剤であって、好適には、ポリ（１〜１０）オキシエチレンラウリルエーテル酢酸塩、ポリ（１〜１０）オキシエチレンヤシ油アルキルエーテル酢酸塩、ポリ（１〜１０）オキシエチレントリデシルエーテル酢酸塩、等が挙げられ、その塩としては、ナトリウム塩、カリウム塩、トリエタノールアミン塩等が挙げられる。
【００７１】
（Ｂ５）アミドエーテルカルボン酸塩
アミドエーテルカルボン酸塩は、一般式（９）
【００７２】
【化８】
2014074114.tif 000009
【００７３】
〔式中、Ｒ１５ は炭素数７〜２１のアルキル基又はアルケニル基を表し、Ｒ１６は水素原子又は炭素数１〜３のアルキル基を表し、Ｍ6 はアルカリ金属、アルカノールアミンを表す。ｄは１〜１０を示す。〕
で示されるアニオン界面活性剤であって、好適には、ポリ（１〜１０）オキシエチレンラウロイルエタノールアミドエーテル酢酸塩、ポリ（１〜１０）オキシエチレンヤシ油脂肪酸エタノールアミドエーテル酢酸塩、ポリ（１〜１０）Ｎ−メチル−ラウロイルエタノールアミドエーテル酢酸塩、ポリ（１〜１０）Ｎ−エチル−ラウロイルエタノールアミドエーテル酢酸塩、ポリ（１〜１０）オキシエチレンＮ−メチル−ヤシ油脂肪酸エタノールアミドエーテル酢酸塩、ポリ（１〜１０）オキシエチレンＮ−エチル−ヤシ油脂肪酸エタノールアミドエーテル酢酸塩、等が挙げられ、その塩としてはナトリウム塩、カリウム塩、トリエタノールアミン塩等が挙げられる。
【００７４】
（Ｂ６）ポリオキシエチレンアルキルスルホコハク酸塩
ポリオキシエチレンアルキルスルホコハク酸塩は、一般式（１０−１）、（１０−２）
【００７５】
【化９】
2014074114.tif 000010
【００７６】
〔式中、Ｒ１６ は炭素数８〜２２の直鎖又は分岐鎖のアルキル又はアルケニル基を表し、Ｍ７，Ｍ８は同一又は異なっても良く、アルカリ金属、アルカノールアミンを表す。ｅは０〜１０を示す。〕
で示される多価アニオン界面活性剤であって、好適には、ポリ（０〜１０）オキシエチレンラウリルスルホコハク酸塩、ポリ（０〜１０）オキシエチレンヤシ油脂肪酸スルホコハク酸塩等が挙げられ、その塩としてはナトリウム塩、カリウム塩、トリエタノールアミン塩等が挙げられる。
【００７７】
（Ｂ７）ポリオキシエチレンアミドエーテルスルホコハク酸塩
ポリオキシエチレンアミドエーテルスルホコハク酸塩は、一般式（１１−１）、一般式（１１−２）
【００７８】
【化１０】
2014074114.tif 000011
〔式中、Ｒ１７は炭素数７〜２１のアルキル基又はアルケニル基を表し、Ｒ１８は水素原子又は炭素数１〜３のアルキル基を表し、Ｍ９、Ｍ１０は同一又は異なっても良く、アルカリ金属、アルカノールアミンを表す。ｆは０〜１０を示す。〕
で示される多価アニオン界面活性剤であって、好適には、ポリ（０〜１０）オキシエチレンラウロイルエタノールアミドスルホコハク酸塩、ポリ（０〜１０）オキシエチレンヤシ油脂肪酸エタノールアミドスルホコハク酸塩、ポリ（０〜１０）オキシエチレンＮ−メチル−ラウロイルエタノールアミドスルホコハク酸塩、ポリ（０〜１０）オキシエチレンＮ−メチル−ヤシ油脂肪酸エタノールアミドスルホコハク酸塩、ポリ（０〜１０）オキシエチレンＮ−エチル−ラウロイルエタノールアミドスルホコハク酸塩、ポリ（０〜１０）オキシエチレンＮ−エチル−ヤシ油脂肪酸エタノールアミドスルホコハク酸塩、等が挙げられ、その塩としてはナトリウム塩、カリウム塩、トリエタノールアミン塩等が挙げられる。
【００７９】
これらの難増粘性アニオン活性剤の中でも（Ｂ２）アシル中性アミノ酸塩及び（Ｂ３）アシル酸性アミノ酸塩のＮ−アシルアミノ酸系界面活性剤は既知の増粘剤では粘度付与が特に困難であったが、本発明増粘剤組成物は、従来の増粘剤に比較して効果的にこれらの難増粘性アニオンを増粘する。
【００８０】
難増粘性アニオン界面活性剤を主剤として含有する液体洗浄剤組成物にもアニオン界面活性剤合計配合量に対して本発明増粘剤又は増粘剤組成物を２．５〜２０重量％含有させることにより液体洗浄剤組成物に実用的な粘度を付与する。
【００８１】
難増粘性アニオン界面活性剤を従来の増粘剤により増粘する際、両性界面活性剤を同時に配合することにより、粘度付与性の改善が報告されているが、本発明増粘剤においてもその性質が確認された。
【００８２】
本発明洗浄剤組成物において、成分（Ｃ）として分子内にカチオン中心を持つ、両性界面活性剤、双性界面活性剤、半極性界面活性剤およびカチオン性界面活性剤から選ばれる少なくとも１種の界面活性剤を併用することにより、到達粘度の上昇、増粘剤添加効果の上昇がみられる。
【００８３】
これらの分子内にカチオン中心を持つ界面活性剤を併用することにより、より少ない本発明増粘剤の添加により洗浄剤組成物の増粘が可能となり、Ｎ−アシルアミノ酸系界面活性剤の起泡性、泡質、低温安定性を改善する効果がある。
【００８４】
両性又は双性界面活性剤としては、下記一般式（１２）で示されるベタイン型両性及び双性界面活性剤及び下記一般式（１３）、（１４）で示されるアミドアミン型両性界面活性剤が好ましい。
【００８５】
【化１１】
2014074114.tif 000012
【００８６】
［但し、式中Ｒ１９は炭素数７〜１９のアルキル基またはアルケニル基を示し、Ｒ２０、Ｒ２２は互いに独立にメチル基、エチル基、ヒドロキシエチル基を示し、Ｒ２１は水酸基を含んで良い炭素数１〜３のアルキレン基を示し、ｇは１〜３の数、ｈは１又は０を示し、Ｚ−は−ＣＯＯ−基又は−ＳＯ3−基を示す。］
【００８７】
好適例としては、例えばラウリルジメチル酢酸ベタイン、ラウリルジメチルヒドロキシプロピルスルホベタイン、ラウリン酸アミドジメチル酢酸ベタイン、ラウリン酸ジメチルヒドロキシプロピルスルホベタイン等が挙げられる。
【００８８】
【化１２】
2014074114.tif 000013
【００８９】
［式中Ｒ２３Ｒ２４は炭素素数７〜１９のアルキル基又はアルケニル基、ｕは２乃至は３の整数、ｖ，ｗは互いに独立に１〜３の整数、Ｍ１１はアルカリ金属、アルカリ土類金属、アルカノールアミンを示し、ｙは１または２の整数を表す。］
【００９０】
これらは、通常イミダゾリニウムベタイン類と称される界面活性剤群を包含する。イミダゾリニウムベタイン型界面活性剤は、その合成経路の中間段階でイミダゾリン環が加水分解を起こし、上記一般式（１３）または（１４）の構造を持つことが明らかにされている（例えば特公昭５９−５１５３２号公報、特公昭３５−４７６２号公報、及びＣｏｓｍｅｔｉｃｓ  ＆  Ｔｏｉｌｅｔｒｉｅｓ，Ｖｏｌ９５，Ｎｏ１１，ｐ４５−４８，１９８０）。
【００９１】
これらのアミドアミン型両性界面活性剤の好適例は、例えば２−ウンデシル−Ｎ−カルボキシメチル−Ｎ−ヒドロキシエチルイミダゾリニウムベタイン、Ｎ−ラウロイル−Ｎ’−カルボキシメチル−Ｎ’−ヒドロキシエチルエチレンジアミンナトリウム、Ｎ−ヤシ脂肪酸アシル−Ｎ’−カルボキシエチル−Ｎ’−ヒドロキシエチルエチレンジアミンナトリウム等が用いられる。
【００９２】
半極性界面活性剤としては下記一般式（１５）
【００９３】
【化１３】
2014074114.tif 000014
【００９４】
［但し、式中Ｒ２５は炭素数７〜１９のアルキル基またはアルケニル基を示し、Ｒ２６，Ｒ２７は互いに独立に水素原子、メチル基、エチル基またはヒドロキシエチル基を示し、ｓは１〜３の整数、ｔは１または０を示す。］
で示されるものが好ましい。
【００９５】
半極性界面活性剤は、分子内にδ＋に荷電する窒素原子を有しており、これがカチオン中心として働くと推定される。半極性界面活性剤の好適例としては、例えばラルリルジメチルアミンオキサイド、ラウリン酸アミドプロピルアミンオキサイド、ミリスチルジメチルアミンオキサイド、ミリスチン酸アミドプロピルアミンオキサイド、ヤシアルキルジメチルアミンオキサイド、ヤシ脂肪酸アミドプロピルアミンオキサイド等が挙げられる。
【００９６】
カチオン性界面活性剤としては、下記一般式（１６）で示されるものが好ましい。
【００９７】
【化１４】
2014074114.tif 000015
【００９８】
［但し、式中Ｒ２８は炭素数７〜１９のアルキル基またはアルケニル基を示し、ｓは１〜３の整数、ｔは１または０を示す。Ｒ２９，Ｒ３０，Ｒ３１は炭素数１〜３のアルキル基または式（１７）
【００９９】
【化１５】
2014074114.tif 000016
【０１００】
を示し、Ｂ-は塩素イオン、臭素イオンなどのカチオン基に対する対イオンを表す。］
【０１０１】
好適例を示せば、例えば塩化ジラウリルジメチルアンモニウム、塩化ステアリルトリメチルアンモニウム、臭化ステアリルトリメチルアンモニウム、塩化ジステアリルジメチルアンモニウム、エチル硫酸ラノリン脂肪酸アミノプロピルエチルジメチルアンモニウム等が挙げられる。
【０１０２】
成分（Ｃ）として、分子内にカチオン中心を持つ、両性界面活性剤、双性界面活性剤、半極性界面活性剤および、カチオン性界面活性剤から選ばれる少なくとも１種の界面活性剤の配合量は、洗浄剤組成物中において０．５〜３０重量％配合することが好ましい。
【０１０３】
更に分子内にカチオン中心を持つ、両性界面活性剤、双性界面活性剤、半極性界面活性剤および、カチオン性界面活性剤から選ばれる少なくとも１種の界面活性剤の洗浄剤組成物に対する配合量は、洗浄剤組成物に配合されるアニオン界面活性剤成分に対して重量比で９／１〜１／１、より好ましくは８／２〜６／４の範囲内にあることが好ましい。
【０１０４】
分子内にカチオン中心を持つ、両性界面活性剤、双性界面活性剤、半極性界面活性剤およびカチオン性界面活性剤から選ばれる少なくとも１種の界面活性剤の洗浄剤組成物あたりの配合量が、アニオン界面活性剤に対して９／１以下の配合量である場合、その添加効果は現れず、１／１を超えて配合されると、洗浄剤組成物の使用感が損なわれたり、泡のきめが大きくなるなどの問題が発生し、使用感が損なわれ好ましくない。
【０１０５】
本発明高粘度液体洗浄剤組成物は、シャンプー組成物として配合する時、コンディショニング剤の配合特性に優れる。
【０１０６】
好ましいコンディショニング剤としては、分子量４０万〜１５０万、カチオン性窒素含量１〜２．５％（質量％）であるカチオン化セルロースが好ましい。
【０１０７】
市販品として、例えば、ポイズＣ−Ｈ６０（分子量６０万、Ｎ含量２．２％）、ポイズＣ−Ｍ８０（分子量８０万、Ｎ含量１．５％）、ポイズＣ−Ｌ１５０（分子量１５０万、Ｎ含量１．３％）（以上、花王社製）；ポリマーＪＲ４００（分子量４０万、Ｎ含量１．７％）（ユニオン・カーバイド社製）；カチナールＬＣ−１００（分子量４０万、Ｎ含量１．０％）、カチナールＨＣ−１００Ｋ（分子量４０万、Ｎ含量２．０％）、カチナールＬＣ−２００（分子量１５０万、Ｎ含量１．２％）（以上、東邦化学社製）などが挙げられる。コンディショニング剤の配合量は組成物全体に対して０．1〜１．０重量％、好ましくは０．３〜０．６重量％が望ましい。配合量が０．１重量％未満では十分なコンディショニング効果が得られず、１．０重量％を超えると洗髪後にゴワツキ感を感じる等使用感の悪化を招くことがあるので好ましくない。
【０１０８】
また、カチオン化セルロースの分子量が４０万以下でも十分なリンスイン効果が得られず、カチオン性窒素含量が１％（質量％）未満だと毛髪への吸着性が不十分で十分なコンディショニング効果が得られず好ましくない。
【０１０９】
本発明の（Ａ１）ポリオキシアルキレンアルキルアミン化合物混合物及び（Ａ２）ポリオキシアルキレンアルキルアミン化合物混合物を除く窒素含有ノニオン界面活性剤との混合物である本発明増粘剤組成物を含有する液体洗浄剤組成物には、他の同様な使用法で使われる増粘剤、たとえばポリオキシアルキレンアルキルエーテル、ポリオキシアルキレン脂肪酸エステル、高分子増粘剤等の既知の増粘剤を併用しても良い。本発明増粘剤組成物と既知の増粘剤同時に配合することにより、既知の増粘剤を単独で配合するより効果的に粘度構築できる。即ち本発明増粘剤組成物は、液体洗浄剤に配合することにより易増粘化の効果を有する。
【０１１０】
更に本発明の効果を妨害しない範囲で他のアニオン界面活性剤、非イオン界面活性剤、および通常洗浄剤あるいは化粧品に用いられる他の成分、例えば、動物、植物、魚貝類、微生物由来の抽出物、粉末成分、液体油脂、固体油脂、ロウ、炭化水素、高級アルコール、エステル類、シリコーン、保湿剤、水溶性高分子、被膜剤、紫外線吸収剤、消炎剤、金属封鎖剤、低級アルコール、糖類、アミノ酸類、有機アミン類、合成樹脂エマルジョン、ｐH 調整剤、皮膚栄養剤、ビタミン類、酸化防止剤、酸化防止助剤、抗菌剤、香料などを必要に応じて一種あるいは２種以上用いても良い。
【実施例】
【０１１１】
本発明の効果に関して以下の実施例によりさらに詳細に説明する。
【０１１２】
以下の方法により本件発明の一般式（１）乃至は一般式（２）に関わる物質を製造し、１Ｈ−ＮＭＲで同定した。
【０１１３】
製造例１    ラウリン酸ジメチルアミノプロピルアミドの製造
１リットルの四つ口フラスコにＮ，Ｎ−ジメチルプロピレンジアミン１．３モルとラウリン酸１．０モルを仕込み、１３０〜１５０℃でアミド化反応を行った後、過剰に加えたＮ，Ｎ−ジメチルプロピレンジアミンを留去してラウリン酸ジメチルアミノプロピルアミドを取り上げた。
【０１１４】
製造例２    ＰＥＧ−２オクチルアミンの合成
１リットルのオートクレーブにオクチルアミンアミン（１ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。
【０１１５】
製造例３    ＰＥＧ−２ドデシルアミンの合成
１リットルのオートクレーブにドデシルアミン（１．０ｍｏｌ）を仕込み、窒素置換、昇温後に１５０±５℃でエチレンオキサイド付加(２．０ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。
【０１１６】
製造例４    ＰＥＧ−２ココナッツアミンの合成
１リットルのオートクレーブにココナッツアミン（１．０ｍｏｌ）を仕込み、窒素置換、昇温後に１５０±５℃でエチレンオキサイド付加(１．９ｍｏｌ)を実施した。エチレンオキサイド導入後１時間の熟成を行い、熟成終了後の反応液を１リットルのナスフラスコに移し、トッピング（７０〜８０℃、−０．０９６ＭＰａ、１５分間）を行い、目的物を取り上げた。
【０１１７】
製造例５  Ｎ-ラウロイル-Ｎ，Ｎ’,Ｎ’-トリメチルエチレンジアミンの合成
１００ｍＬの四つ口フラスコにＮ,Ｎ,Ｎ’-トリメチルプロピレンジアミン０．１８モルとラウリン酸０．１４モルを仕込み、１３０〜１５０℃でアミド化反応を行った後、過剰に加えたＮ,Ｎ,Ｎ’-トリメチルプロピレンジアミンを留去してＮ-ラウロイル-Ｎ，Ｎ’,Ｎ’-トリメチルプロピレンジアミンを取り上げた。
【０１１８】
製造例１〜５で製造したサンプル、及びアミゾールＣＭＥ（川研ファインケミカル社製  ヤシ脂肪酸モノエタノールアミド）、アミゾールＣＤＥ（川研ファインケミカル社製  ヤシ油脂肪酸ジエタノールアミド）、アミゼット２Ｌ−Ｙ（川研ファインケミカル社製  ポリオキシエチレンラウリン酸モノエタノールアミド）を表１に示した配合比で混合し、本発明増粘剤組成物を配合した。なお、実施例１〜１９についての凝固点についても確認した実施例１〜１５、及び１８、１９は２０℃でも液体形態を保持しており、実施例１６〜１７については加温することで容易に溶解させられるハンドリング性を示すことを確認した。
【０１１９】
【表１】
2014074114.tif 000017
【０１２０】
実施例１〜１９のサンプル、比較対象としてアミゾールＣＭＥ及びゲナポールＤＥＬ（クラリアント・ジャパン社製  ラウリン酸ＰＥＧ−２）とを各種アニオン界面活性剤に添加してその性能を評価し表２〜表８にまとめた。なお、測定項目の測定条件は以下の方法に従った。
【０１２１】
粘度測定
測定装置 ＴＯＫＩＭＥＣ社製 Ｂ型回転粘度計 ｍｏｄｅｌ Ｂ８Ｍ  
測定温度 ２５℃
【０１２２】
低温安定性
増粘性試験で試作した各サンプルを−５℃で１２時間静置したのち、サンプルを取りだし状態を観察する。評価は以下の２段階
×  白濁、結晶析出のあったもの
○  透明な溶液形態を保持しているもの
【０１２３】
泡量評価（ミキサー起泡力）
増粘性試験で試作した各サンプルを水で２０倍に希釈した試験液１００ｍＬをミキサーにより３０秒間泡立てた後、１０００ｍＬのメスシリンダーに移して、泡の量を測定し、以下の判定基準により評価した。
【０１２４】
◎：泡の量が６００ｍＬ以上
○：泡の量が５００以上６００ｍＬ未満
△：泡の量が４００以上５００ｍＬ未満
×：泡の量が４００ｍＬ未満
【０１２５】
使用感試験（泡立ちと泡量）（すすぎ時のサッパリ感）
増粘性試験で試作した各サンプルについて、パネラー１５名により、手洗いによる使用試験を行い、使用時の泡立ちと泡量、すすぎ時のサッパリ感の官能試験を行った。
【０１２６】
評価は表２と３では比較例１を、表４では比較例８を、表５と６では比較例１２を、表７と８では比較例１８を、各々標準３点とした５段階相対評価とし、パネラー１５名の評価結果の平均点を算出し、算出された平均値を以下の通り分類して評価した。
【０１２７】
◎：４．５以上の場合を非常に良好
○：４．５未満３．５以上の場合を良好
△：３．５未満３．０以上の場合を普通
×：３．０未満の場合を不良
【０１２８】
表２、３は、シャンプー組成物などに使用されているＮ−アシルアミノ酸系界面活性剤のＮ−ラウロイル−Ｎ−メチル−β−アラニンナトリウム塩をベースとした洗浄剤組成物の評価結果を示したものである。各サンプルは全て界面活性剤総量が２０％に調整されている。
【０１２９】
実施例群と比較例群を比較すると本配合例のサンプルはＮ−アシルアミノ酸系界面活性剤に対して少量の添加で優れた粘度付与効果を示し、従来より使用されてきた増粘剤（ラウリン酸ＰＥＧ−２，ヤシ脂肪酸モノエタノールアミド）と比較して優れた増粘効果を持つことがわかる。また、本発明の組成物はＮ−アシルアミノ酸系界面活性剤の特有の優れた使用感を損なうことが無く、優れた使用感試験結果を示し、更に比較例５と比較すると、低温安定性も良好で、比較例１及び２と比較すると、泡量、すすぎ時のサッパリ感において非常に良好であることがわかる。加えて、実施例４８、４９に示した通り、低温安定性に問題があるヤシ脂肪酸モノエタノールアミドを配合した系においても増粘性、使用感に優れ、且つ低温安定性にも優れた処方系を構築することができる。
【０１３０】
【表２】
2014074114.tif 000018
【０１３１】
【表３】
2014074114.tif 000019
【０１３２】
表４は、難増粘性アニオン界面活性剤であるココイルグルタミン酸塩系界面活性剤をベースとした洗浄剤組成物の評価結果を示したものである。各サンプルは全て界面活性剤総量が２０％に調整されている。いずれも優れた増粘性、低温安定性、泡量、すすぎ時のサッパリ感を示している。
【０１３３】
【表４】
2014074114.tif 000020
【０１３４】
表５、６は、シャンプー組成物などに多用されているエーテル硫酸塩型界面活性剤をベースとした洗浄剤組成物の評価結果を示したものである。各サンプルは全て界面活性剤総量が２０％に調整されている。
【０１３５】
実施例群と比較例群を比較すると本配合例のサンプルはエーテル硫酸塩型界面活性剤に対して少量の添加で優れた粘度付与効果を示し、従来より使用されてきた増粘剤（ラウリン酸ＰＥＧ−２，ヤシ脂肪酸モノエタノールアミド）と比較して優れた増粘効果を持つことがわかる。また、本発明の組成物は、低温安定性が良好で、泡量、すすぎ性等の使用感の数値も優れている。
【０１３６】
【表５】
2014074114.tif 000021
【０１３７】
【表６】
2014074114.tif 000022
【０１３８】
表７、８は、難増粘性アニオン界面活性剤と配合例のサンプルとの組み合わせに両性界面活性剤であるベタイン系両性を配合した系での評価結果を示したものである。各サンプルは全て界面活性剤総量が２０％に調整されている。本発明の組成物は、いずれも優れた増粘性、低温安定性、泡量、すすぎ時のサッパリ感を示していることがわかる。
【０１３９】
【表７】
2014074114.tif 000023
【０１４０】
【表８】
2014074114.tif 000024
【産業上の利用可能性】
【０１４１】
本発明増粘剤組成物は、アニオン界面活性剤の使用感を損なうことなく難増粘性であるアニオン界面活性剤を増粘できるので、増粘剤として好適である。